(57)【要約】本発明は、衣類又はスカート、ドレス、タイ、スカーフ、ハット、ジュエリー等のようなアパレルの他のアイテムの陳列及び／又は保管のための方法及び装置に関する。特には、本発明は、少なくとも１つのラング部材を備える衣類用ハンガーを提供し、前記少なくとも１つのラング部材は、前記ラング部材の外縁部に配置され、第１の衣類の第１部分を受けるように構成された第１アタッチメント構造と、前記ラング部材の外縁部内に配置され、第２の衣類の第２部分を受けるように構成された第２アタッチメント構造と、を備える。【選択図】図１
2013528451.tif 000002
【特許請求の範囲】
【請求項１】
少なくとも１つのラング部材を備える衣類用ハンガーであって、
前記少なくとも１つのラング部材は、
前記ラング部材の外縁部に配置され、第１の衣類の第１部分を受けるように構成された第１アタッチメント構造と、
前記ラング部材の外縁部内に配置され、第２の衣類の第２部分を受けるように構成された第２アタッチメント構造と、を備えることを特徴とする衣類用ハンガー。
【請求項２】
前記アタッチメント構造の少なくとも一方が前記ラング部材の平面内に配置されていることを特徴とする請求項１に記載の衣類用ハンガー。
【請求項３】
前記アタッチメント構造の少なくとも一方が前記ラング部材の平面外に配置されていることを特徴とする請求項１に記載の衣類用ハンガー。
【請求項４】
前記アタッチメント構造は、前記ラング部材と一体的に形成されていることを特徴とする請求項１から３のいずれか一項に記載の衣類用ハンガー。
【請求項５】
隣接するラング部材が互いに一体的に結合されていることを特徴とする請求項１から４のいずれか一項に記載の衣類用ハンガー。
【請求項６】
隣接するラング部材が互いにヒンジ結合されていることを特徴とする請求項１から４のいずれか一項に記載の衣類用ハンガー。
【請求項７】
前記アタッチメント構造の少なくともいずれか一方、又は、前記ラング部材がワイヤ構造を備えることを特徴とする請求項１から６のいずれか一項に記載の衣類用ハンガー。
【請求項８】
前記アタッチメント構造は、ループ手段及びフック手段の１つ又は組み合わせを備えることを特徴とする請求項１から７のいずれか一項に記載の衣類用ハンガー。
【請求項９】
前記第１の衣類及び前記第２の衣類が１つであると共に同じ種類の衣類であることを特徴とする請求項１から８のいずれか一項に記載の衣類用ハンガー。
【請求項１０】
前記第１の衣類及び前記第２の衣類が異なる衣類であり、衣類のセットを一緒に形成することを特徴とする請求項１から８のいずれか一項に記載の衣類用ハンガー。
【請求項１１】
第１の衣類の前記第１部分が、ノースリーブ衣類のストラップ部分を含むことを特徴とする請求項１から１０のいずれか一項に記載の衣類用ハンガー。
【請求項１２】
第２の衣類の前記第２部分が、パンティ、ビキニボトム、パンツ、アンダーウェアボトム及びスリープウェアボトムのうちの１つのウエスト部分を含むことを特徴とする請求項１から１１のいずれか一項に記載の衣類用ハンガー。
【請求項１３】
当該ハンガーを支持構造から吊り下げ可能にするために当該ハンガーの最頂部に配置された支持フックをさらに備えることを特徴とする請求項１から１２のいずれか一項に記載の衣類用ハンガー。
【請求項１４】
前記支持フックは、前記支持構造から吊り下がっている間、前記支持フックに対して少なくとも９０度まで当該ハンガーを回転可能にするために回転式に構成されていることを特徴とする請求項１３に記載の衣類用ハンガー。
【請求項１５】
衣類のセットを陳列及び／又は保管する方法であって、
前記セットの第１の衣類の第１部分を、吊り下げのために構成されたラング部材の外縁部に配置された第１アタッチメント構造に取り付けるステップと、
前記セットの第２の衣類の第２部分を、前記ラング部材の前記外縁部内に配置された第２アタッチメント構造に取り付けるステップと、を含むことを特徴とする方法。
【請求項１６】
前記第１の衣類の前記第１部分がノースリーブ衣類のストラップ部分を含み、前記第２の衣類の前記第２部分がボトム衣類のウエストを含み、且つ、前記第１及び第２アタッチメント構造がループ手段及びフック手段の１つ又は組み合わせを備えることを特徴とする請求項１５に記載の方法。
【請求項１７】
衣類用ハンガーを製造する方法であって、
少なくとも１つのラング部材を形成するステップと、
前記ラング部材の外縁部に第１アタッチメント構造を機械形成するステップと、
前記ラング部材の外縁部の内方に第２アタッチメント構造を機械形成するステップと、を含むことを特徴とする衣類用ハンガーを製造する方法。
【請求項１８】
前記少なくとも１つのラング部材を形成するステップは、ワイヤ形成を含むことを特徴とする請求項１７に記載の方法。
【請求項１９】
前記ラング部材のラング部分を１つに溶接して、それらの間に一体結合を形成するステップをさらに含むことを特徴とする請求項１７又は１８に記載の方法。
【請求項２０】
前記ラング部材のラング部分を１つにヒンジ接続して、それらの間にヒンジ結合を形成するステップをさらに含むことを特徴とする請求項１７又は１８に記載の方法。
【請求項２１】
前記ハンガーの部分をコーティングするステップをさらに含むことを特徴とする請求項１７から２０のいずれか一項に記載の方法。
【請求項２２】
前記コーティングは、プラスチックコーティング、ポリプロピレン、クロム、パウダーコーティング及びフロック材料でのコーティングのうちの１又は組み合わせを含むことを特徴とする請求項２１に記載の方法。
【請求項２３】
前記ラング部材は、ワイヤ、剛性プラスチック成形、ステンレススチール及び青銅ワイヤのうちの１又は組み合わせを含むことを特徴とする請求項１７に記載の方法。
【請求項２４】
ここに開示された方法。
【請求項２５】
ここに開示された装置及び／又は機器。
【発明の詳細な説明】
【技術分野】
【０００１】
（関連出願）
本出願は、ヒクソン  ハンガーズ  ピーティーワイ  エルティーディーによる２０１０年６月１８日出願のオーストラリア国の仮出願第２０１０９０２６６３号「衣類用ハンガー」の優先権を主張するものであり、その開示は本明細書において参考としてその全体が組み込まれる。
【０００２】
本発明は、衣類又はスカート、ドレス、タイ、スカーフ、ハット等のようなアパレルの他のアイテムの陳列（ディスプレイ）及び／又は保管の分野に関する。特には、本発明は、衣類を掛けるための手段に関する。便宜のため、以下にワードローブ又はクローゼット内の水平バー又はロッドから吊され得る従来の洋服ハンガーの改変に関する発明を説明するが、本発明はここに使用された形態のみに限定されないことは明らかである。
【背景技術】
【０００３】
本明細書を通して、単数形の「発明者」の用語の使用は、本発明の単一（１人）の発明者又は１以上（複数）の発明者として解釈可能である。
【０００４】
本明細書のドキュメント、デバイス、アクト又はナレッジの任意の議論は、本発明の内容を説明するために含まれることが明らかである。さらに本発明の明細書全体の議論は、発明者の具現化及び／又は発明者による特定の関連する技術的課題の認識によって生じた。さらに、本明細書のドキュメント、デバイス、アクト又はナレッジのようなマテリアルの任意の議論は、発明者の知識及び経験の点で発明の内容を説明するために含まれる。したがって、このような議論は、いずれかのマテリアルが、ここに開示及び要求された優先日以前において、オーストラリア等の関連技術における先行技術の基礎又は共通の一般的な知識の一部を形成していることを自白するものとして解釈されるべきではない。
【０００５】
一般的に、ぴったりあった又は傷みやすい衣類の誤った保管は、例えば、ワイヤーカップ・ブラジャーのような特定の製品の寿命を減少させる虞がある。さらに、ランジェリー、スリープウェア、スポーツシャツ及び水着のような衣類の保管は、比較的に大きい空間を占める。また、衣類の選択は、引き出し又は棚の保管によって困難になり得る。
【０００６】
ノースリーブの衣類の吊り下げは、ハンガーの角度によって衣類がハンガーから外れるので、困難であろう。衣類の回収（又は取り出し）は、複数の衣類が（１つの）ハンガーに吊り下げられている場合に困難であろう。さらに、衣類のセットが簡単に一緒に保管されず、衣類のセットへの容易なアクセス又は陳列における視認性を提供することが、不可能ではないにしても困難である。
【０００７】
掛けるのが困難な傷みやすいアンダーウェア及び衣類は、慣習的に、引き出し、ボックス又は棚に保管されている。ハンガーは、これを克服するために‘ペグ（洗濯ばさみ、ｐｅｇ）’アタッチメントで設計された。それは引き出し保管への代替案を提供するが、‘ペグ’ハンガーの問題は、レールからハンガーを取ってそれを平坦面に置くことなしに、衣類を簡単に掛けることができない又は回収することができないことであった。また、頻繁な使用で、ペグがポキッと折れる虞がある。所望の衣服の視認性もまたこの方法では制限される。傷みやすい衣類をボックス、引き出しに保管することは、選択のための視認性を減少させ、且つ、必要な保管空間を増加させる。フックを有する従来のハンガーに保管するとき、衣類は絡んで滑り落ちる傾向にあり、それは回収及び吊り下げプロセスを厄介のものにする。確かに、このようなハンガーは衣類のセットの保管を許容しない。当然、従来のフック式ハンガーは、削減した保管空間を提供可能であり、且つ、選択のための視認性を改善可能であるが、例えば、アンダーウェアセット又は水着の保管を可能にすることはない。従来式又はペグハンガーが衣類のセットを保管することに使用された場合、そして、１つの衣類アイテムを回収するとき、他の衣類に引っ掛かり、又は、所望の品を回収するためにそれらを取り外すことを必要とすることにつながる。さらに、ハンガーを支持するレールからハンガーを取り外す必要なしに、所望の品を回収することは困難である。
【０００８】
エンジェル  Ｄ．ルーラスによるＵＳ２００８／０３０８５１１は、典型的に引き出しに保管されている、あるいは、ドアノブ又は従来のコートハンガーから吊り下げられているブラジャーに具体的に関連する問題に対処する。引き出し保管は、パッド又はアンダーワイヤに屡々損傷を与えることが言及され、且つ、ドアノブ又はコートハンガー保管は、見苦しく且つ整理されていないと言及される。ルーラスによる解決手段は、特にブラジャーを吊り下げるための装置であり、当該装置は、以下の特徴；
水平ビームの頂部に取り付けられた、従来の中央に固定されたコートハンガー式フックと、
下方に延びる水平ビームの底部に取り付けられた垂直支持部と、
該垂直支持部に沿って（必要に応じて）広がった複数の追加水平ビームと、
中央に取り付けられた頂部フックよりも小さい複数のフックであって、複数の水平ビームの各々に沿って配置され、該フックごとに１つのブラジャーの保管を可能にする、複数のフックと、を備える。
【０００９】
しかしながら、ルーラスは、ノースリーブの衣類を吊り下げること、又は、簡単なアクセス又は陳列における視認性と共に衣類セットを吊り下げることの問題に対処していない。
【００１０】
別の先行技術の装置が、ＵＳ２００９／００７８７２８（シニダー）によって開示された。当該装置は、従来式ハンガーの水平部分上でシートを折ると共にそれ自体をベルクロ・ファスナー（Ｖｅｌｃｒｏ  ｆａｓｔｅｎｉｎｇ）（登録商標）で固定することにより、洋服ハンガーに固定されたシートを有する衣類吊り下げシステムを備える。（複数の）フックが、衣類をそこに取り付けるためにシートに配置される。しかしながら、シニダーの装置は、複雑な複数要素の設計であり、且つ、シート及びファスナーが埃や汚れを集め、あるいは、汚れて他の繊維品と同様にクリーニングを必要することに影響を受けやすい。
【先行技術文献】
【特許文献】
【００１１】
【特許文献１】ＵＳ２００８／０３０８５１１
【特許文献２】ＵＳ２００９／００７８７２８
【発明の概要】
【発明が解決しようとする課題】
【００１２】
ここに説明される実施形態の目的は、関連技術のシステムの上述した欠点の少なくとも１つを克服又は軽減すること、又は、少なくとも関連技術のシステムの便利な代替物を提供することにある。
【課題を解決するための手段】
【００１３】
ここに開示された実施形態の第１例では、少なくとも１つのラング（横木、ｒｕｎｇ）部材を備える衣類用ハンガーが提供され、
前記少なくとも１つのラング部材は、
前記ラング部材の外縁部上に配置され、第１の衣類の第１部分を受けるように構成された第１アタッチメント構造と、
前記ラング部材の外縁部内に配置され、第２の衣類の第２部分を受けるように構成された第２アタッチメント構造と、を備える。
【００１４】
好ましくは、前記アタッチメント構造の少なくとも一方が前記ラング部材の平面内に配置されている。
【００１５】
好ましい実施形態において、あるいは、前記アタッチメント構造の少なくとも一方が前記ラング部材の平面外に配置されている。
【００１６】
前記アタッチメント構造は、前記ラング部材と一体的に形成されている。隣接するラング部材が互いに一体的に結合されている。あるいは、隣接するラング部材が互いにヒンジ結合されている。
【００１７】
好ましくは、前記アタッチメント構造の少なくともいずれか一方、又は、前記ラング部材がワイヤ構造を備える。さらに、前記アタッチメント構造は、ループ手段及びフック手段の１つ又は組み合わせを備える。
【００１８】
使用時に、本発明の好適な実施形態は、以下の衣類に利用可能である。前記第１の衣類及び前記第２の衣類が１つであり、且つ、同じ種類の衣類である。あるいは、前記第１の衣類及び前記第２の衣類が異なる衣類であり、衣類のセットを一緒に形成する。
【００１９】
特定の実施形態では、第１の衣類の前記第１部分が、ノースリーブ衣類のストラップ部分を含み、第２の衣類の前記第２部分が、パンティ、ビキニボトム、パンツ、アンダーウェアボトム及びスリープウェアボトムのうちの１つのウエスト部分を含む。
【００２０】
１つの好適な実施形態では、支持フックが、当該ハンガーを支持構造から吊り下げ可能にするために当該ハンガーの最頂部に配置され得る。前記支持フックは、前記支持構造から吊り下がっている間、前記支持フックに対して少なくとも９０度まで当該ハンガーを回転可能にするために回転するように構成されている。
【００２１】
ここに説明される実施形態の別形態では、衣類のセットを陳列及び／又は保管する方法が提供される。当該方法は、前記セットの第１の衣類の第１の部分を、吊り下げのために構成されたラング部材の外縁部上に配置された第１アタッチメント構造に取り付けるステップと、前記セットの第２の衣類の第２の部分を、前記ラング部材の前記外縁部内に配置された第２アタッチメント構造に取り付けるステップと、を含む。
【００２２】
ここに説明される実施形態のさらなる別例では、衣類用ハンガーを製造する方法が提供される。当該製造方法は、
少なくとも１つのラング部材を形成するステップと、
前記ラング部材の外縁部に第１アタッチメント構造を機械形成するステップと、
前記ラング部材の外縁部の内方に第２アタッチメント構造を機械形成するステップと、を含む。
【００２３】
前記少なくとも１つのラング部材を形成するステップはワイヤ形成を含む。一実施形態では、方法は、前記ラング部材のラング部分を１つに溶接して、それらの間に一体結合を形成するステップをさらに含む。あるいは、関節結合又は折りたたみ結合が提供可能であり、例えば、方法は、前記ラング部材のラング部分を１つにヒンジ接続して、それらの間にヒンジ結合を形成するステップをさらに含む。別の手段として、主にハンガーの長さを調整するために、ラングがクリップ手段で１つにクリップ接続可能であり、当該クリップ手段は、ラング部材に一体形成可能であり、又は、各場合において取り付けられる別体クリップとして形成可能である。
【００２４】
好ましくは、製造方法は、前記ハンガーの部分をコーティングするステップをさらに含む。前記コーティングは、プラスチックコーティング、ポリプロピレン、クロム、パウダーコーティング及びフロック材料でのコーティングのうちの１又は組み合わせを含む。
【００２５】
好ましい実施形態のラング部材は、ワイヤ、剛性プラスチック成形、ステンレススチール及び青銅ワイヤのうちの１又は組み合わせを含む。
【００２６】
当業者は、代替材料、上述の材料の１又は組み合わせがラング部材を形成するのに適切であることを認めるであろう。
【００２７】
他の例及び好適な形状が、明細書に開示され、及び／又は、添付のクレームに定義され、本発明の説明の一部を形成する。
【００２８】
本質的には、本発明は、ブラジャーのような壊れやすい衣類を引き出しに保管するのではなく、吊り下げることが、身に着ける衣服を選択するためのきれいな陳列をユーザーに提供するのと同様に、それらが損傷を受ける虞を制限するという認識から生じた。次に、これは、ラング部材上の比較的に異なる位置で第１及び第２アタッチメント手段を組み込むことで、衣類のセットのユーザーフレンドリーなディスプレイ（陳列）及び安全な保管を提供可能であるという認識につながった。さらなる認識は、この方法で使用された複数のラング部材が、複数の衣類又は衣類の複数のセットのユーザーフレンドリーなディスプレイ及び安全な保管を提供可能であり、したがって、ワードローブの保管の効率性及び／又は陳列領域の効率性を増加させることにある。
【００２９】
側部フック又はループの場所及び形状は、例えば、ハンガーが吊り下がっているとき、又は、片手で保持されているときに、衣類を掛けるため及び回収するための簡単なアクセスを可能とする。また、フックの場所は、全ての衣服を取り外し、又は、他の吊り下がった衣類に引っ掛かることなく、衣類を回収することをも可能とする。ラング部材の平面外にある内方フックの選択的な構造は、保管容易性及び衣類セットの陳列にも貢献可能である。
【００３０】
本発明によって提供された利点は、以下のことを含む。
・本発明の好ましい実施形態は、衣服の簡単な取り付け及び取り出しを可能とする製品を提供する。
・ハンガーがレールに残ったまま、衣類を吊り下げ又は回収可能である。
・衣類がより滑り落ちにくい。
・複数の傷みやすい衣類を１つの装置に保管可能であるが、引っ掛かることなく、あるいは、装置から他の全ての衣類を取り外すことなく、１つの衣類を回収することが簡単である。
・ブラジャー、水着及びブラジャー付きトップスのようなカップ形状を有する衣類は、衣類のカップを潰すことなく、又は、衣類を捻って衣類の寿命を減少させることなく、安全に保管可能である。
・ランジェリー、スリープウェア及びビキニのセットを、同じラング上のループ及びフックを使用してセットとして保管可能である。
・アンダーウェア、スリープウェア、スポーツウェア及びスイムウェアのための保管空間が大きく削減され、且つ、これは、例えば、靴ひも、スパゲティストリングのトップ、キャミソール及びドレス等のような他の衣類、スカート、スカーフ及びジュエリーにも割り当てられる。
・好ましいハンガーの実施形態は、任意の装飾に合うように幅広い色で製造可能であり、且つ、子供服に応じた削減した寸法で作成可能である。
・例えば、外側のフックの代わりに内側のフックを利用することにより、子供のサイズ又はより小さい大人の衣服で、フルサイズのハンガーを、より小さい衣服に使用可能であるように、使用の多様性が提供される。
・また、好ましいハンガーは、防水であり、且つ、バスルーム内又は外で洗濯ロープに吊り下げられて、洗濯した又は少なくとも濡れた衣類を乾燥のために受ける。
・好ましい実施形態では、回転頂部を有することにより、ハンガーを洗濯ロープに吊り下げることが可能であり、衣類がそれらの「中間」位置で乾燥可能である。
・また、回転頂部により、ハンガーは、当該ハンガーに対して少なくとも９０度まで回転可能であり、ワードローブ内のそれ自体の吊り下げ位置で、所望の衣類の選択と同様に簡単な衣類の取り付け及び取り外しを可能にする。
・本発明の好ましい実施形態ハンガーは、先行技術のハンガーよりも、広範囲の衣類品に使用可能である。
・好ましい実施形態のハンガーは、組織化ツールであり、これは、ワードローブ及び引き出し内の空間を解放し、且つ、ハンガーによって提供された整然とした陳列と共にワードローブのきれいな外観に貢献するのと同時に、例えば、ランジェリー衣類を選択するときに女性の時間を省略する。
・好ましい実施形態の改善したディスプレイ特性によれば、本発明は、ランジェリー衣服、スイムウェア衣服及びスポーツ衣服の販売における使用に役立つ。
・衣類のセットに関して、本発明の１つのハンガー装置は、複数の衣類の保管を提供可能であり、且つ、衣類選択のための簡単なアクセス及び視認性をも提供する。
・次の日の準備のためにハンガーがネックレス、ベルト、スカート、トップ等を含む衣服全体をセットすることに使用可能であるように、衣服全体を掛けることも可能である。
・ハンガーのヒンジ接続又はクリップ接続されたラングセクションは、小さい保管庫及び販売陳列の専有面積の狭い場所のために、カスケード効果において各セクションが畳まれることを可能にする。
【００３１】
さらに、本発明の実施形態の応用範囲は、ここに与えられる詳細な説明から明らかになるであろう。しかしながら、詳細な説明及び特定の例は、本発明の好ましい実施形態を示すが、説明の手段としてのみ与えられることを理解すべきであり、そして、ここの開示の思想及び範囲内で様々な変更及び改変が、詳細な説明から当業者にとって明らかになる。
【図面の簡単な説明】
【００３２】
本出願の好適な及び他の実施形態のさらなる開示、対象、利点及び実施例は、添付図面と対応する以下の実施形態の説明を参照することで関連技術の当業者によって、より理解されるであろう。そして、これらは説明のために提供されるのであって、開示に限定するものではない。
【００３３】
【図１】本発明の好適な実施形態を示す。
【図２】ノースリーブの衣類を保管することに使用された図１の実施形態を示す。
【図３】ブラジャーを保管することに使用された図１の実施形態を示す。
【図４】アンダーウェアパンティを保管することに使用された図１の実施形態を示す。
【図５】本発明の別実施形態を示し、横木部材間のヒンジ結合を示す。
【発明を実施するための形態】
【００３４】
一部分において、発明者は、引き出しに通常に保管された多くのブラジャーを保有し、彼女が特定の日に特定の衣服と共に着たい１つを明確に見ることができないことに苛々することにより、本発明に導かれた。このような衣服を全てワードローブに掛けることができた場合、それらを明確に見ることができ、そして、同時に必要な特定の衣服を選択することにおいて、より簡易化されたプロセスを可能にすることが望ましいと考えられた。そして、それらが引き出しに保管される代わりに吊り下げられた場合、それはまた、衣類が引き出しに保管されたときのような頻繁に起こる持続的な損傷の問題をも解消することが望ましいと考えられた。
【００３５】
本発明の好適な実施形態は、図１に示したようなマルチラング（横木、ｒｕｎｇ）ハンガーを含む。ハンガー１０は、それ自体、少なくとも１つの、好ましくは、複数のラング（横木）部材１を備え、これらが結合されてマルチラング（多段横木）装置１０を形成する。ラング部材間の結合は、一体形成であってもよく、あるいは、ワイヤの場合、溶接又ははんだ接合であってもよい。
【００３６】
あるいは、図５に示すとおり、ラング間の結合は、ヒンジ手段１３によるヒンジ結合とすることも可能であり、ユニットを小さくコンパクトなサイズに折りたたむことを可能にする。
【００３７】
第１アタッチメント構造２が、ラング部材１の外縁部３上に配置されている。第２アタッチメント構造４が、ラング部材の外縁部３内に配置されている。
【００３８】
第１のアタッチメント構造２が図１に示されており、ループ手段５の形状であり、且つ、各ラング部材に関連したループ手段５の各対が、図２に示したキャミソール６又は図３に示したブラジャー衣類７のようなトップ衣類のストラップ部８を受けるように構成されている。
【００３９】
第２のアタッチメント構造が図１に示されており、フック手段の形状であり、且つ、各ラング部材に関連したフック手段の各対が、図４に示したパンティのようなボトム衣類のウエスト部分を受けるように構成されている。他のボトム衣類は、例えば、ビキニのボトムスパンツ、他のアンダーウェアボトムス及びスリープウェアボトムスを含み得る。
【００４０】
アタッチメント構造が、ループ手段、フープ手段又はフック手段の任意の組み合わせを含むことが可能であると認められるべきである。すなわち、例えば、別実施形態では、第１アタッチメント構造がフック手段を備えてもよく、第２アタッチメント構造がループ手段を備えてもよく、あるいは、両方のアタッチメント構造がフック又はループ手段の一方を備えてもよい。別実施形態では、内方のループが、より小さいノースリーブの衣類のカスケード（ｃａｓｃａｄｅ）吊り下げにも同様に適合し、衣類の適合セットのウエスト部分だけでないことを、発明者が発見した。
【００４１】
アタッチメント構造２，４は、ラング部材１の外縁部で存在し、第１アタッチメント構造が外縁部上に位置し、第２アタッチメント構造が外縁部の内部に位置している。各ラング部材は、各ラング部材の外縁部を接続する、実質的に水平な突っ張り部（ｓｔｒｕｔ）１２を有する。突っ張り部は、そこに緩やかな波形状を有し、美的特徴を提供するように機能する。当然、別実施形態では、突っ張り部１２は、水平から逸れずに、言わば、直線であってもよい。
【００４２】
図示された実施形態では、アタッチメント構造の各々は、ラング部材の平面内に配置されている。別実施形態では、アタッチメント構造の一方又は両方がラング部材平面の外側に配置されることが想定可能である。
【００４３】
図示されたアタッチメント構造は、好ましくは、ラング部材と一体形成される。
【００４４】
ハンガー装置は、好ましくは、レール、ライン、水平部材、ドア又はシャワーから装置を吊すことを目的として、そのヘッド９で従来式ハンガーのフックを有する。また、ヘッド９は回転するように構成される。また、ディスプレイタグ１１が、商業的環境下で陳列の目的で、又は、レール上のハンガーの整列を補助するために、ヘッド９に取り付けられてもよい。
【００４５】
ハンガー装置の製造は、装置を形成することにワイヤの使用を含む。好ましい製造ステップは以下のとおりである。
【００４６】
好ましい実施形態の製品は、溶接された軟鋼ワイヤから製造されて、ポリプロピレン仕上げでコーティングされる。また、ワイヤ仕上げは、クロム、パウダーコーティング、プラスチック、フロック材料、又は、本技術分野の当業者によって認識される任意の適切なコーティングで行うことも可能である。また、好ましい製品は、射出成形、ブロー成形又は任意の他の適切なプラスチック成形工程を介して、剛性プラスチック成形から形成することも可能である。
【００４７】
好ましい実施形態の製品は、ワイヤ形成装置から個別のラングを作成し、溶接した軟鋼ワイヤから形成された部品を溶接又がヒンジ結合し、そして、ポリプロピレン仕上げでプラスチックコーティングすることによって製造される。また、ワイヤ仕上げは、クロム、パウダーコーティング、プラスチック、フロック材料、又は、任意の他のコーティングで行うことも可能である。
【００４８】
あるいは、特定の実施形態では、ハンガーは、ラングが１つにクリップ接続されるように製造可能であり、店頭陳列において、他のラングを装置にクリップすることでハンガーが好ましい長さに簡易に組み立て可能である。ラングを付加するためのクリップの使用により、ハンガー装置の長さを調整するようにラングの折りたたみを助けることが可能であることも想定される。
【００４９】
それは、剛性プラスチック成形、青銅ワイヤ、ステンレススチール、及び、例えば衣類の多数セットを吊り下げ、保管し及び／又は陳列するような各実施形態の多くの使用において必要とされる荷重を踏まえれば、本分野の当業者にとってハンガーに適切と認められる多数の他材料からも形成可能である。例えば、メタル又はプラスチックの製造効率に適するものではないが、本発明の実施形態の製造に木材を使用可能であり、それは従来式ハンガーで慣習的に使用されている。
【００５０】
本発明は、特定の実施形態と関連して説明されたが、さらなる改変が可能であると理解される。本出願は、一般的に、発明の原理に従い、本発明の任意のバリエーション、使用又は適応をカバーするように意図されており、本発明が包含する本技術の公知又は慣習的なプラクティス内であり、且つ、ここで説明した本質的な特徴に適用されるとき、本開示からの逸脱を含んでいる。
【００５１】
本発明の本質的な特徴の範囲から逸脱することがなければ、本発明が複数の形態で具現化可能である。特定されない限り、上述の実施形態は、本発明を限定するものではないことを理解すべきであるが、添付のクレームで定義されるとおり、本発明の思想及び範囲内でより広範囲に解釈されるべきである。上述の実施形態は、説明のためだけであり、限定するものではないと全ての点で考えられるべきである。
【００５２】
種々の改変及び均等なアレンジが、本発明の思想及び範囲並びに添付クレーム内に含まれることを意図されている。したがって、特定の実施形態が、本発明の原理が実施される多くの方法の説明であることを理解すべきである。以下のクレームでは、機能手段（ｍｅａｎｓ−ｐｌｕｓ−ｆｕｎｃｔｉｏｎ）クレームは、定義された機能を実行する構造をカバーし、構造的同等物だけでなく、均等構造をもカバーするように意図されている。例えば、ネイル及びスクリューが構造的同等物ではない。ネイルが木製部品を１つに固定するために円筒表面を採用するが、スクリューが木製部品を１つに固定するために螺旋表面を採用している。この木製部品を固定するという環境下において、ネイル及びスクリューは均等構造である。
【００５３】
本明細書で使用された“備える（ｃｏｍｐｒｉｓｅ／ｃｏｍｐｒｉｓｉｎｇ）”及び“含む（ｉｎｃｌｕｄｅ／ｉｎｃｌｕｄｉｎｇ）”は、定められた特徴、整数、ステップ又は構成要素の存在を特定することに用いられているが、他の１又は複数の特徴、整数、ステップ、構成要素又はそのグループの存在又は付加することを除外するものではない。すなわち、文脈が明らかにそうでないことを要求しない限り、明細書及びクレーム全体で、用語“備える（ｃｏｍｐｒｉｓｅ）” 、“備える（ｃｏｍｐｒｉｓｉｎｇ）”、 “含む（ｉｎｃｌｕｄｅ）”、 “含む（ｉｎｃｌｕｄｉｎｇ）”等は、排他的な意味と反対の包含的な意味であり、換言すると、「限定されないが、含む」という意味を有する。
【図１】
2013528451.tif 000003
【図２】
2013528451.tif 000004
【図３】
2013528451.tif 000005
【図４】
2013528451.tif 000006
【図５】
2013528451.tif 000007
【国際調査報告】
2013528451.tif 000008
2013528451.tif 000009
2013528451.tif 000010